(57)【要約】【課題】送信装置と少なくとも１つの受信装置で構成されるＣＡＴＶネットワークにおいて、ネットワークの外部の端末からネットワーク内の特定の受信装置に対して録画予約命令等の制御情報を送信する。【解決手段】受信装置はチャンネル選局時に送信装置に対して選局チャンネルの情報を送信し、送信装置ではネットワークの外部の端末から特定の受信装置に対する録画予約などの要求を受け付けると、該当する受信装置が選局状態にあるチャンネルのデータ放送のデータに、録画予約などの命令信号をデータ放送フォーマットで多重して送出する。【選択図】図１
2008177971.tif 000002
【特許請求の範囲】
【請求項１】
第１のネットワークで互いに接続され、放送番組の映像・音声データやデータ放送のデータなどをデジタル放送番組として送信する送信装置と、前記送信装置が前記第１のネットワークを介して送信する前記デジタル放送番組を受信する少なくとも１つの受信装置で構成される受信装置制御システムであって、
前記送信装置は、
地上デジタル放送などの前記デジタル放送番組を受信するデジタル放送受信手段と、
地上デジタル放送などのデータ放送フォーマットの信号を生成するデータ生成手段と、
前記データ生成手段で生成された信号や放送番組の映像・音声データなどの信号を前記受信装置で受信するために必要な番組情報を生成する番組情報生成手段と、
前記デジタル放送受信手段からの前記デジタル放送番組の信号、前記データ生成手段で生成された信号および前記番組情報生成手段で生成された前記番組情報の信号などの信号を、前記第１のネットワークに送信できるように変換あるいは多重などの処理をするＭＵＸ（Ｍｕｌｔｉｐｌｅｘｅｒ）手段と、
前記ＭＵＸ手段において処理された前記デジタル放送番組などの信号を、前記第１のネットワークへ送信する送信手段と、
前記第１のネットワークを介して前記受信装置などと通信する第１の通信手段と、
第２のネットワークを介して通信情報端末などと通信する第２の通信手段と、
前記第２のネットワークおよび前記第２の通信手段を介して受信された特定の前記受信装置への命令情報を受信／処理する命令受信手段と、
識別子や前記第１の通信手段を介して前記受信装置から受信した選局中のチャンネルなどの前記受信装置に関する情報などを前記受信装置毎に保持／管理するデータ保持手段を備え、
前記データ生成手段は、前記命令受信手段で前記特定の前記受信装置に対する前記命令情報を受信する毎に、受信した前記命令情報をデータ放送フォーマットの信号に変換し、前記データ保持手段に保持／管理されている前記特定の前記受信装置に関する識別子などの情報とともに前記ＭＵＸ手段に送信し、
前記ＭＵＸ手段は、前記データ生成手段から送信された信号を、前記デジタル放送受信手段で受信した前記デジタル放送番組のチャンネルの内の、前記データ保持手段に保持／管理されている前記特定の前記受信装置が選局中のチャンネルにおけるデータ放送のデータに多重するとともに、この多重に伴い前記番組情報生成手段において変更／生成された前記番組情報を多重し、これらの信号を新たな前記デジタル放送番組の信号として前記送信手段に送信し、
前記送信手段は、前記ＭＵＸ手段から受信した新たな前記デジタル放送番組の信号を前記第１のネットワークへ送信するものであり、
前記受信装置は、
前記送信装置から前記第１のネットワークを介して送信される前記デジタル放送番組を受信する受信手段と、
前記受信手段で受信した信号を解析する解析手段と、
前記第１のネットワークを介して前記送信装置などと通信する通信手段を備え、
チャンネル切り替え時および／または電源ＯＮ時に、前記受信手段が選局しているチャンネルの情報を、前記通信手段から前記第１のネットワークを介して前記送信装置の前記第１の通信手段に送信し、
視聴時あるいは電源ＯＮ時に前記受信手段で前記デジタル放送番組を受信し、前記受信手段で受信した前記デジタル放送番組に含まれる前記データ放送のデータを前記解析手段で解析し、その結果、自らの受信装置に対する前記特定の前記命令情報を有していることを確認した場合は、前記特定の前記命令情報に基づく処理を実行するものである、
ことを特徴とする受信装置制御システム。
【請求項２】
第１のネットワークで互いに接続され、放送番組の映像・音声データやデータ放送のデータなどをデジタル放送番組として送信する送信装置と、前記送信装置が前記第１のネットワークを介して送信する前記デジタル放送番組を受信する少なくとも１つの受信装置で構成される受信装置制御システムであって、
前記送信装置は、
地上デジタル放送などの前記デジタル放送番組を受信するデジタル放送受信手段と、
地上デジタル放送などのデータ放送フォーマットの信号を生成するデータ生成手段と、
前記データ生成手段で生成された信号や放送番組の映像・音声データなどの信号を前記受信装置で受信するために必要な番組情報を生成する番組情報生成手段と、
前記デジタル放送受信手段からの前記デジタル放送番組の信号、前記データ生成手段で生成された信号および前記番組情報生成手段で生成された前記番組情報の信号などの信号を、前記第１のネットワークに送信できるように変換あるいは多重などの処理をするＭＵＸ（Ｍｕｌｔｉｐｌｅｘｅｒ）手段と、
前記ＭＵＸ手段において処理された前記デジタル放送番組などの信号を、前記第１のネットワークへ送信する送信手段と、
前記第１のネットワークを介して前記受信装置などと通信する第１の通信手段と、
第２のネットワークを介して通信情報端末などと通信する第２の通信手段と、
前記第２のネットワークおよび前記第２の通信手段を介して受信された特定の前記受信装置への命令情報を受信／処理する命令受信手段と、
識別子や前記第１の通信手段を介して前記受信装置から受信した選局中のチャンネルなどの前記受信装置に関する情報などを前記受信装置毎に保持／管理するデータ保持手段を備え、
前記データ生成手段は、前記命令受信手段で前記特定の前記受信装置に対する前記命令情報などを受信する毎に、受信した前記命令情報をデータ放送フォーマットの信号に変換して前記データ保持手段に送信し、前記データ保持手段において、前記データ保持手段に保持／管理されている前記特定の前記受信装置に関する識別子などの情報と関連付けて保持／保管するとともに、前記受信装置が前記送信装置の何処にアクセスすれば自分宛の前記命令情報などを取得することができるかが分かるアクセス情報をデータ放送フォーマットで生成して前記ＭＵＸ手段に送信し、
前記ＭＵＸ手段は、前記データ生成手段から送信された前記アクセス情報を、前記デジタル放送受信手段で受信した前記デジタル放送番組の少なくとも一つのチャンネルにおけるデータ放送のデータに多重するとともに、この多重に伴い前記番組情報生成手段において変更／生成される前記番組情報を多重し、これらの信号を新たな前記デジタル放送番組の信号として前記送信手段に送信し、
前記送信手段は、前記ＭＵＸ手段から受信した新たな前記デジタル放送番組の信号を前記第１のネットワークへ送信し、
前記第１のネットワークおよび前記第１の通信手段などを介して受信した前記受信装置からの自分宛の前記命令情報などの送信要求に対し、前記データ保持手段において前記送信要求に該当する前記命令情報などが保持されている場合は、前記送信要求に該当する前記命令情報などを前記第１の通信手段および前記第１のネットワークなどを介して前記受信装置に送信するものであり、
前記受信装置は、
前記送信装置から前記第１のネットワークを介して送信される前記デジタル放送番組を受信する受信手段と、
前記受信手段で受信した信号を解析する解析手段と、
前記第１のネットワークを介して前記送信装置などと通信する通信手段を備え、
前記受信手段で受信した前記デジタル放送番組に含まれる前記データ放送のデータを前記
解析手段で解析して前記アクセス情報を取得し、前記解析手段で取得した前記アクセス情報に基づき、前記通信手段から前記第１のネットワークを介して前記送信装置におけるアクセス先にアクセスして自分宛の前記命令情報の前記送信要求を送信し、前記送信要求に基づき前記送信装置から第１のネットワークを介して送信される自分宛の前記命令情報を前記通信手段で受信し、前記通信手段で受信した自分宛の前記命令情報に基づく処理を実行するものである、
ことを特徴とする受信装置制御システム。
【請求項３】
第１のネットワークで互いに接続され、放送番組の映像・音声データやデータ放送のデータなどをデジタル放送番組として送信する送信装置と、前記送信装置が前記第１のネットワークを介して送信する前記デジタル放送番組を受信する少なくとも１つの受信装置で構成される受信装置制御システムであって、
前記送信装置は、
地上デジタル放送などの前記デジタル放送番組を受信するデジタル放送受信手段と、
地上デジタル放送などのデータ放送フォーマットの信号を生成し、命令情報専用チャンネルのデータ放送サービスのデータなどを生成するデータ生成手段と、
前記デジタル放送受信手段で受信されたデータや前記データ生成手段で生成された命令情報専用チャンネルのデータ放送サービスのデータなどを前記受信装置で受信するために必要な番組情報を変更あるいは生成する番組情報生成手段と、
前記デジタル放送受信手段からの前記デジタル放送番組の信号、前記データ生成手段で生成された信号および前記番組情報生成手段で生成された前記番組情報の信号などの信号を、前記第１のネットワークに送信できるように変換あるいは多重などの処理をするＭＵＸ（Ｍｕｌｔｉｐｌｅｘｅｒ）手段と、
前記ＭＵＸ手段において処理された前記デジタル放送番組などの信号を、前記第１のネットワークへ送信する送信手段と、
前記第１のネットワークを介して前記受信装置などと通信する第１の通信手段と、
第２のネットワークを介して通信情報端末などと通信する第２の通信手段と、
前記第２のネットワークおよび前記第２の通信手段を介して受信された特定の前記受信装置への命令情報を受信／処理する命令受信手段と、
識別子など前記受信装置に関する情報を前記受信装置毎に保持／管理するデータ保持手段を備え、
前記データ生成手段は、前記命令受信手段で前記特定の前記受信装置に対する前記命令情報を受信する毎に、受信した前記命令情報をデータ放送フォーマットの信号に変換し、前記データ保持手段に保持／管理されている前記特定の前記受信装置に関する識別子などの情報とともに、前記命令情報専用チャンネルのデータ放送サービスのデータとして生成して前記ＭＵＸ手段に送信し、さらに、前記デジタル放送受信手段から受信中のデジタル放送番組に関するＰＡＴ（Ｐｒｏｇｒａｍ  Ａｓｓｏｃａｔｉｏｎ  Ｔａｂｌｅ）、ＰＭＴ（Ｐｒｏｇｒａｍ  Ｍａｐ  Ｔａｂｌｅ）およびＮＩＴ（Ｎｅｔｗｏｒｋ  Ｉｎｆｏｒｍａｔｉｏｎ  Ｔａｂｌｅ）などの前記番組情報を受信して、これらを前記番組情報生成手段に送信し、
前記番組情報生成手段は、前記データ生成手段から受信した前記ＮＩＴのサービスリストの先頭に前記命令情報専用チャンネルのデータ放送サービスを追加させるとともに、前記データ生成手段から受信した前記ＰＡＴおよび前記ＰＭＴに対し、前記命令情報専用チャンネルのデータ放送サービスの追加に伴う変更を加え、これらの追加あるいは変更した前記ＮＩＴ、前記ＰＡＴおよび前記ＰＭＴを前記ＭＵＸ手段に送信し、
前記ＭＵＸ手段は、前記デジタル放送受信手段から送信されたデジタル放送番組に、前記データ生成手段から送信された前記命令情報専用チャンネルのデータ放送サービスのデータや、前記番組情報生成手段において追加あるいは変更した前記ＮＩＴ、前記ＰＡＴおよび前記ＰＭＴなどの信号を多重し、これらの信号を新たな前記デジタル放送番組の信号として前記送信手段に送信し、
前記送信手段は、前記ＭＵＸ手段から受信した新たな前記デジタル放送番組の信号を前記第１のネットワークへ送信するものであり、
前記受信装置は、
前記送信装置から前記第１のネットワークを介して送信される前記デジタル放送番組を受信する受信手段と、
前記受信手段で受信した信号を解析する解析手段と、
前記第１のネットワークを介して前記送信装置などと通信する通信手段を備え、
視聴開始時および／または電源ＯＮ時に、選局中のチャンネルにかかわらず、前記受信手段において、まず前記ＮＩＴ（Ｎｅｔｗｏｒｋ  Ｉｎｆｏｒｍａｔｉｏｎ  Ｔａｂｌｅ）の前記サービスリストの先頭に位置づけられた前記命令情報専用チャンネルのデータ放送サービスを受信し、前記受信手段で受信した前記命令情報専用チャンネルの前記データ放送サービスのデータを前記解析手段で解析し、その結果、自らの受信装置に対する前記特定の前記命令情報を有していることを確認した場合は、前記特定の前記命令情報に基づく処理を実行し、その後、選局中のチャンネルの前記デジタル放送番組を受信するものである、
ことを特徴とする受信装置制御システム。
【請求項４】
請求項１に記載の受信装置制御システムを構成する送信装置であって、
地上デジタル放送などの前記デジタル放送番組を受信するデジタル放送受信手段と、
地上デジタル放送などのデータ放送フォーマットの信号を生成するデータ生成手段と、
前記データ生成手段で生成された信号や放送番組の映像・音声データなどの信号を前記受信装置で受信するために必要な番組情報を生成する番組情報生成手段と、
前記デジタル放送受信手段からの前記デジタル放送番組の信号、前記データ生成手段で生成された信号および前記番組情報生成手段で生成された前記番組情報の信号などの信号を、前記第１のネットワークに送信できるように変換あるいは多重などの処理をするＭＵＸ（Ｍｕｌｔｉｐｌｅｘｅｒ）手段と、
前記ＭＵＸ手段において処理された前記デジタル放送番組などの信号を、前記第１のネットワークへ送信する送信手段と、
前記第１のネットワークを介して前記受信装置などと通信する第１の通信手段と、
第２のネットワークを介して通信情報端末などと通信する第２の通信手段と、
前記第２のネットワークおよび前記第２の通信手段を介して受信された特定の前記受信装置への命令情報を受信／処理する命令受信手段と、
識別子や前記第１の通信手段を介して前記受信装置から受信した選局中のチャンネルなどの前記受信装置に関する情報などを前記受信装置毎に保持／管理するデータ保持手段を備え、
前記データ生成手段は、前記命令受信手段で前記特定の前記受信装置に対する前記命令情報を受信する毎に、受信した前記命令情報をデータ放送フォーマットの信号に変換し、前記データ保持手段に保持／管理されている前記特定の前記受信装置に関する識別子などの情報とともに前記ＭＵＸ手段に送信し、
前記ＭＵＸ手段は、前記データ生成手段から送信された信号を、前記デジタル放送受信手段で受信した前記デジタル放送番組のチャンネルの内の、前記データ保持手段に保持／管理されている前記特定の前記受信装置が選局中のチャンネルにおけるデータ放送のデータに多重するとともに、この多重に伴い前記番組情報生成手段において変更／生成された前記番組情報を多重し、これらの信号を新たな前記デジタル放送番組の信号として前記送信手段に送信し、
前記送信手段は、前記ＭＵＸ手段から受信した新たな前記デジタル放送番組の信号を前記第１のネットワークへ送信することを特徴とする送信装置。
【請求項５】
請求項２に記載の受信装置制御システムを構成する送信装置であって、
地上デジタル放送などの前記デジタル放送番組を受信するデジタル放送受信手段と、
地上デジタル放送などのデータ放送フォーマットの信号を生成するデータ生成手段と、
前記データ生成手段で生成された信号や放送番組の映像・音声データなどの信号を前記受信装置で受信するために必要な番組情報を生成する番組情報生成手段と、
前記デジタル放送受信手段からの前記デジタル放送番組の信号、前記データ生成手段で生成された信号および前記番組情報生成手段で生成された前記番組情報の信号などの信号を、前記第１のネットワークに送信できるように変換あるいは多重などの処理をするＭＵＸ（Ｍｕｌｔｉｐｌｅｘｅｒ）手段と、
前記ＭＵＸ手段において処理された前記デジタル放送番組などの信号を、前記第１のネットワークへ送信する送信手段と、
前記第１のネットワークを介して前記受信装置などと通信する第１の通信手段と、
第２のネットワークを介して通信情報端末などと通信する第２の通信手段と、
前記第２のネットワークおよび前記第２の通信手段を介して受信された特定の前記受信装置への命令情報を受信／処理する命令受信手段と、
識別子や前記第１の通信手段を介して前記受信装置から受信した選局中のチャンネルなどの前記受信装置に関する情報などを前記受信装置毎に保持／管理するデータ保持手段を備え、
前記データ生成手段は、前記命令受信手段で前記特定の前記受信装置に対する前記命令情報などを受信する毎に、受信した前記命令情報をデータ放送フォーマットの信号に変換して前記データ保持手段に送信し、前記データ保持手段において、前記データ保持手段に保持／管理されている前記特定の前記受信装置に関する識別子などの情報と関連付けて保持／保管するとともに、前記受信装置が前記送信装置の何処にアクセスすれば自分宛の前記命令情報などを取得することができるかが分かるアクセス情報をデータ放送フォーマットで生成して前記ＭＵＸ手段に送信し、
前記ＭＵＸ手段は、前記データ生成手段から送信された前記アクセス情報を、前記デジタル放送受信手段で受信した前記デジタル放送番組の少なくとも一つのチャンネルにおけるデータ放送のデータに多重するとともに、この多重に伴い前記番組情報生成手段において変更／生成される前記番組情報を多重し、これらの信号を新たな前記デジタル放送番組の信号として前記送信手段に送信し、
前記送信手段は、前記ＭＵＸ手段から受信した新たな前記デジタル放送番組の信号を前記第１のネットワークへ送信し、
前記第１のネットワークおよび前記第１の通信手段などを介して受信した前記受信装置からの自分宛の前記命令情報などの送信要求に対し、前記データ保持手段において前記送信要求に該当する前記命令情報などが保持されている場合は、前記送信要求に該当する前記命令情報などを前記第１の通信手段および前記第１のネットワークなどを介して前記受信装置に送信することを特徴とする送信装置。
【請求項６】
請求項３に記載の受信装置制御システムを構成する送信装置であって、
地上デジタル放送などの前記デジタル放送番組を受信するデジタル放送受信手段と、
地上デジタル放送などのデータ放送フォーマットの信号を生成し、命令情報専用チャンネルのデータ放送サービスのデータなどを生成するデータ生成手段と、
前記デジタル放送受信手段で受信されたデータや前記データ生成手段で生成された命令情報専用チャンネルのデータ放送サービスのデータなどを前記受信装置で受信するために必要な番組情報を変更あるいは生成する番組情報生成手段と、
前記デジタル放送受信手段からの前記デジタル放送番組の信号、前記データ生成手段で生成された信号および前記番組情報生成手段で生成された前記番組情報の信号などの信号を、前記第１のネットワークに送信できるように変換あるいは多重などの処理をするＭＵＸ（Ｍｕｌｔｉｐｌｅｘｅｒ）手段と、
前記ＭＵＸ手段において処理された前記デジタル放送番組などの信号を、前記第１のネットワークへ送信する送信手段と、
前記第１のネットワークを介して前記受信装置などと通信する第１の通信手段と、
第２のネットワークを介して通信情報端末などと通信する第２の通信手段と、
前記第２のネットワークおよび前記第２の通信手段を介して受信された特定の前記受信装置への命令情報を受信／処理する命令受信手段と、
識別子など前記受信装置に関する情報を前記受信装置毎に保持／管理するデータ保持手段を備え、
前記データ生成手段は、前記命令受信手段で前記特定の前記受信装置に対する前記命令情報を受信する毎に、受信した前記命令情報をデータ放送フォーマットの信号に変換し、前記データ保持手段に保持／管理されている前記特定の前記受信装置に関する識別子などの情報とともに、前記命令情報専用チャンネルのデータ放送サービスのデータとして生成して前記ＭＵＸ手段に送信し、さらに、前記デジタル放送受信手段から受信中のデジタル放送番組に関するＰＡＴ（Ｐｒｏｇｒａｍ  Ａｓｓｏｃａｔｉｏｎ  Ｔａｂｌｅ）、ＰＭＴ（Ｐｒｏｇｒａｍ  Ｍａｐ  Ｔａｂｌｅ）およびＮＩＴ（Ｎｅｔｗｏｒｋ  Ｉｎｆｏｒｍａｔｉｏｎ  Ｔａｂｌｅ）などの前記番組情報を受信して、これらを前記番組情報生成手段に送信し、
前記番組情報生成手段は、前記データ生成手段から受信した前記ＮＩＴのサービスリストの先頭に前記命令情報専用チャンネルのデータ放送サービスを追加させるとともに、前記データ生成手段から受信した前記ＰＡＴおよび前記ＰＭＴに対し、前記命令情報専用チャンネルのデータ放送サービスの追加に伴う変更を加え、これらの追加あるいは変更した前記ＮＩＴ、前記ＰＡＴおよび前記ＰＭＴを前記ＭＵＸ手段に送信し、
前記ＭＵＸ手段は、前記デジタル放送受信手段から送信されたデジタル放送番組に、前記データ生成手段から送信された前記命令情報専用チャンネルのデータ放送サービスのデータや、前記番組情報生成手段において追加あるいは変更した前記ＮＩＴ、前記ＰＡＴおよび前記ＰＭＴなどの信号を多重し、これらの信号を新たな前記デジタル放送番組の信号として前記送信手段に送信し、
前記送信手段は、前記ＭＵＸ手段から受信した新たな前記デジタル放送番組の信号を前記第１のネットワークへ送信することを特徴とする送信装置。
【請求項７】
請求項１に記載の受信装置制御システムを構成する受信装置であって、
前記送信装置から前記第１のネットワークを介して送信される前記デジタル放送番組を受信する受信手段と、
前記受信手段で受信した信号を解析する解析手段と、
前記第１のネットワークを介して前記送信装置などと通信する通信手段を備え、
チャンネル切り替え時および／または電源ＯＮ時に、前記受信手段が選局しているチャンネルの情報を、前記通信手段から前記第１のネットワークを介して前記送信装置の前記第１の通信手段に送信し、
視聴時あるいは電源ＯＮ時に前記受信手段で前記デジタル放送番組を受信し、前記受信手段で受信した前記デジタル放送番組に含まれる前記データ放送のデータを前記解析手段で解析し、その結果、自らの受信装置に対する前記特定の前記命令情報を有していることを確認した場合は、前記特定の前記命令情報に基づく処理を実行することを特徴とする受信装置。
【請求項８】
請求項２に記載の受信装置制御システムを構成する受信装置であって、
前記送信装置から前記第１のネットワークを介して送信される前記デジタル放送番組を受信する受信手段と、
前記受信手段で受信した信号を解析する解析手段と、
前記第１のネットワークを介して前記送信装置などと通信する通信手段を備え、
前記受信手段で受信した前記デジタル放送番組に含まれる前記データ放送のデータを前記
解析手段で解析して前記アクセス情報を取得し、前記解析手段で取得した前記アクセス情報に基づき、前記通信手段から前記第１のネットワークを介して前記送信装置におけるアクセス先にアクセスして自分宛の前記命令情報の前記送信要求を送信し、前記送信要求に基づき前記送信装置から第１のネットワークを介して送信される自分宛の前記命令情報を前記通信手段で受信し、前記通信手段で受信した自分宛の前記命令情報に基づく処理を実行することを特徴とする受信装置。
【請求項９】
請求項３に記載の受信装置制御システムを構成する受信装置であって、
前記送信装置から前記第１のネットワークを介して送信される前記デジタル放送番組を受信する受信手段と、
前記受信手段で受信した信号を解析する解析手段と、
前記第１のネットワークを介して前記送信装置などと通信する通信手段を備え、
視聴開始時および／または電源ＯＮ時に、選局中のチャンネルにかかわらず、前記受信手段において、まず前記ＮＩＴ（Ｎｅｔｗｏｒｋ  Ｉｎｆｏｒｍａｔｉｏｎ  Ｔａｂｌｅ）の前記サービスリストの先頭に位置づけられた前記命令情報専用チャンネルのデータ放送サービスを受信し、前記受信手段で受信した前記命令情報専用チャンネルの前記データ放送サービスのデータを前記解析手段で解析し、その結果、自らの受信装置に対する前記特定の前記命令情報を有していることを確認した場合は、前記特定の前記命令情報に基づく処理を実行し、その後、選局中のチャンネルの前記デジタル放送番組を受信することを特徴とする受信装置。
【発明の詳細な説明】
【技術分野】
【０００１】
本発明は、映像配信における受信装置を制御する受信装置の制御システム、並びに受信装置制御システムを構成する送信装置および受信装置に関するものである。
【背景技術】
【０００２】
ＣＡＴＶ（ＣＡｂｌｅ  ＴｅｌｅＶｉｓｉｏｎ）事業者等の有線事業者において、衛星放送や地上波放送などの放送番組を自らの有線伝送路へ再送信する仕組みが実現されている。また、ＣＡＴＶ事業者が、受信装置にデータの蓄積機能を持たせ、有線伝送路で再送信した番組を、利用者が自宅で録画できる新たなサービスを提供するようになってきた。
【０００３】
一方、市販の録画装置ではネットワーク機能を備えたものがあり、自宅での録画や録画予約に加え、携帯電話などから録画予約を行なうサービスも実現されている。自宅のネットワーク機能を備えた録画装置が固定的なグローバルＩＰ（Ｉｎｔｅｒｎｅｔ  Ｐｒｏｔｏｃｏｌ）アドレスを取得している場合は、利用者は携帯電話からインターネット上のサーバを介して自宅の録画装置にアクセスできるが、一般的には、録画装置に割り当てられるＩＰアドレスは、毎回値が変更される可能性があるローカルＩＰアドレスであることがほとんどであるので、自宅のみで通用するローカルＩＰアドレスと、インターネットのアクセスに利用できる本来のグローバルなＩＰアドレスを相互に変換することにより、ローカルなＩＰアドレスしか割り当てられていない録画装置から、等価的にインターネットにアクセスできるようにするＮＡＴ（Ｎｅｔｗｏｒｋ  Ａｄｄｒｅｓｓ  Ｔｒａｎｓｌａｔｉｏｎ）と呼ばれる装置が自宅に設置されることになる。しかし、外部の携帯電話からはＮＡＴを超えて直接自宅の録画装置にアクセスすることはできない。
【０００４】
この課題を解決するため、例えば、特許文献１には、ＮＡＴの下に接続されているクライアントがＩＭサーバ（Ｉｎｓｔａｎｔ  Ｍｅｓｓａｇｉｎｇサーバ）と呼ばれるサーバを利用して、他のクライアントと、他のクライアントが同一のＮＡＴの下に接続されているといないとに拘らず、簡単に直接通信することができるようにする従来技術が開示されている。この技術を活用することにより、携帯電話からローカルＩＰアドレスの自宅の録画装置までアクセスすることが可能となる。
【０００５】
図１０は、特許文献１に開示されている従来の受信装置制御システムの構成を示すブロック図である。
【０００６】
図１０において、クライアントＸ１１とクライアントＸ１２は、それぞれインターネットＸ３０を介してＩＭサーバＸ２１に接続されるとともにＩＭサーバＸ２１に登録されており、クライアントＸ１１は、ＮＡＴ装置Ｘ４１を介してＩＭサーバＸ２１にクライアントＸ１１の登録アドレスとクライアントＸ１２の登録アドレスが同一であるか否かの判定を要求する。ＩＭサーバＸ２１は、両者のアドレスが同一であるか否かを調べ、その判定結果をクライアントＸ１１に通知する。クライアントＸ１１は、ＩＭサーバＸ２１から通知された判定結果が同一でない場合はグローバルアドレスを用いてクライアントＸ１２と通信処理を行い、同一である場合はローカルアドレスを用いてクライアントＸ１２と通信処理を行う。
【０００７】
また、例えば、特許文献２には、放送システムを用いて放送番組を録画するに際して、外出先等の遠隔地から、録画予約をすることができる録画機能付きの放送受信装置及び放送システムに関する従来技術が開示されている。
【０００８】
図１１は、特許文献２に開示されている従来の受信装置制御システムの構成を示すブロック図である。
【０００９】
図１１において、録画予約受付センターＹ０２は、携帯電話Ｙ０１から送信される録画の予約データを受信する。録画予約受付センターＹ０２は、予約データを重畳した状態で放送センターＹ０３の放送衛星Ｙ０４に放送信号を送信する。放送センターＹ０３の放送衛星Ｙ０４から送信される放送信号を受信した受信装置Ｙ０５は、正規のユーザーと認証された場合のみに録画予約の制御を行い、内蔵するハードディスクＹ０６に録画予約した番組を録画する。録画予約の状態は、電子メールサービスプロバイダＹ０７を介して携帯電話Ｙ０１に電子メールの形で送信される。
【特許文献１】特開２００４−１７３２４０号公報
【特許文献２】特開２００４−９６３９５号公報
【発明の開示】
【発明が解決しようとする課題】
【００１０】
ＣＡＴＶ局のネットワークの場合、受信装置とセンターの間にＣＭＴＳ（Ｃａｂｌｅ  Ｍｏｄｅｍ  Ｔｅｒｍｉｎａｔｉｏｎ  Ｓｙｓｔｅｍ）という中継装置が設定されるが、通常はどのＣＭＴＳの配下にどの受信装置が接続されているかを管理する装置が存在しない。従って、外部から直接受信装置にアクセスできない仕組みになっている。特許文献１では、図１０に示すように、ＩＭサーバＸ２１を用いて他のクライアントと、他のクライアントが同一のＮＡＴの下に接続されているといないとに拘らず、簡単に直接通信することができるようにしているが、ＩＭサーバＸ２１がどのＣＭＴＳの配下にどの受信装置が存在するかを知る手段がなく、結局、受信装置が接続されているネットワークの外部の装置から受信装置にはアクセスできない、例えば、ＣＡＴＶネットワークの外部にある携帯電話からＣＡＴＶネットワークの内部にある受信装置にはアクセスできない、という課題を有していた。
【００１１】
また、特許文献２では、図１１に示すように放送波を用いているため、受信装置Ｙ０５が接続されているネットワークの外部から受信装置Ｙ０５に情報を送信することは出来るが、受信装置Ｙ０５がどの放送チャンネルを受信しているかわからないため、ある特定の放送チャンネルだけに情報を多重しても、必ずしも受信装置Ｙ０５で受信できるとは限らないという課題があった。また、受信装置Ｙ０５において確実に受信されるようにするためには、放送センターＹ０３から放送衛星Ｙ０４を介して放送される全ての放送チャンネルに情報を多重する必要があるが、その場合は帯域を多く占有するという課題を有していた。
【００１２】
本発明は、このような課題を解決するもので、送信局（送信装置）と少なくとも一つの受信装置がネットワークで結ばれた放送システムにおいて、送信局（送信装置）がネットワークの外部の装置から受信したある特定の受信装置（イ）に対する番組録画予約情報などの命令情報に関するデータを、ネットワークを介して受信装置（イ）に送信する際、その命令情報に関するデータをデータ放送形式に変換して放送番組に関するデータ放送のデータに多重して送信するようにし、受信装置は、放送チャンネルを選局する毎に、その選局した放送チャンネルを送信局（送信装置）に送信して自分が選局している放送チャンネルを送信局（送信装置）に知らしめておき、送信局（送信装置）は、ネットワークの外部から受信装置（イ）に対する番組録画予約情報などの命令情報を受信すると、予め把握している受信装置（イ）が現在選局している放送チャンネルの放送番組に関するデータ放送のデータのみに、番組録画予約情報などの命令情報を多重して送信することにより、帯域を多く占有することなく、受信装置が番組録画予約などの命令情報を確実に受信できる機能などを提供することを目的とする。
【課題を解決するための手段】
【００１３】
上記目的を達成するために、本願の第１の発明の受信装置制御システムは、第１のネットワークで互いに接続され、放送番組の映像・音声データやデータ放送のデータなどをデジタル放送番組として送信する送信装置と、前記送信装置が前記第１のネットワークを介して送信する前記デジタル放送番組を受信する少なくとも１つの受信装置で構成される受信装置制御システムであって、
前記送信装置は、地上デジタル放送などの前記デジタル放送番組を受信するデジタル放送受信手段と、地上デジタル放送などのデータ放送フォーマットの信号を生成するデータ生成手段と、前記データ生成手段で生成された信号や放送番組の映像・音声データなどの信号を前記受信装置で受信するために必要な番組情報を生成する番組情報生成手段と、前記デジタル放送受信手段からの前記デジタル放送番組の信号、前記データ生成手段で生成された信号および前記番組情報生成手段で生成された前記番組情報の信号などの信号を、前記第１のネットワークに送信できるように変換あるいは多重などの処理をするＭＵＸ（Ｍｕｌｔｉｐｌｅｘｅｒ）手段と、前記ＭＵＸ手段において処理された前記デジタル放送番組などの信号を、前記第１のネットワークへ送信する送信手段と、前記第１のネットワークを介して前記受信装置などと通信する第１の通信手段と、第２のネットワークを介して通信情報端末などと通信する第２の通信手段と、前記第２のネットワークおよび前記第２の通信手段を介して受信された特定の前記受信装置への命令情報を受信／処理する命令受信手段と、識別子や前記第１の通信手段を介して前記受信装置から受信した選局中のチャンネルなどの前記受信装置に関する情報などを前記受信装置毎に保持／管理するデータ保持手段を備え、前記データ生成手段は、前記命令受信手段で前記特定の前記受信装置に対する前記命令情報を受信する毎に、受信した前記命令情報をデータ放送フォーマットの信号に変換し、前記データ保持手段に保持／管理されている前記特定の前記受信装置に関する識別子などの情報とともに前記ＭＵＸ手段に送信し、前記ＭＵＸ手段は、前記データ生成手段から送信された信号を、前記デジタル放送受信手段で受信した前記デジタル放送番組のチャンネルの内の、前記データ保持手段に保持／管理されている前記特定の前記受信装置が選局中のチャンネルにおけるデータ放送のデータに多重するとともに、この多重に伴い前記番組情報生成手段において変更／生成された前記番組情報を多重し、これらの信号を新たな前記デジタル放送番組の信号として前記送信手段に送信し、前記送信手段は、前記ＭＵＸ手段から受信した新たな前記デジタル放送番組の信号を前記第１のネットワークへ送信するものであり、
前記受信装置は、前記送信装置から前記第１のネットワークを介して送信される前記デジタル放送番組を受信する受信手段と、前記受信手段で受信した信号を解析する解析手段と、前記第１のネットワークを介して前記送信装置などと通信する通信手段を備え、チャンネル切り替え時および／または電源ＯＮ時に、前記受信手段が選局しているチャンネルの情報を、前記通信手段から前記第１のネットワークを介して前記送信装置の前記第１の通信手段に送信し、視聴時あるいは電源ＯＮ時に前記受信手段で前記デジタル放送番組を受信し、前記受信手段で受信した前記デジタル放送番組に含まれる前記データ放送のデータを前記解析手段で解析し、その結果、自らの受信装置に対する前記特定の前記命令情報を有していることを確認した場合は、前記特定の前記命令情報に基づく処理を実行するものである、ことを特徴とするものである。
【００１４】
また、本願の第２の発明の受信装置制御システムは、第１のネットワークで互いに接続され、放送番組の映像・音声データやデータ放送のデータなどをデジタル放送番組として送信する送信装置と、前記送信装置が前記第１のネットワークを介して送信する前記デジタル放送番組を受信する少なくとも１つの受信装置で構成される受信装置制御システムであって、
前記送信装置は、地上デジタル放送などの前記デジタル放送番組を受信するデジタル放送受信手段と、地上デジタル放送などのデータ放送フォーマットの信号を生成するデータ生成手段と、前記データ生成手段で生成された信号や放送番組の映像・音声データなどの信号を前記受信装置で受信するために必要な番組情報を生成する番組情報生成手段と、前記デジタル放送受信手段からの前記デジタル放送番組の信号、前記データ生成手段で生成された信号および前記番組情報生成手段で生成された前記番組情報の信号などの信号を、前記第１のネットワークに送信できるように変換あるいは多重などの処理をするＭＵＸ（Ｍｕｌｔｉｐｌｅｘｅｒ）手段と、前記ＭＵＸ手段において処理された前記デジタル放送番組などの信号を、前記第１のネットワークへ送信する送信手段と、前記第１のネットワークを介して前記受信装置などと通信する第１の通信手段と、第２のネットワークを介して通信情報端末などと通信する第２の通信手段と、前記第２のネットワークおよび前記第２の通信手段を介して受信された特定の前記受信装置への命令情報を受信／処理する命令受信手段と、識別子や前記第１の通信手段を介して前記受信装置から受信した選局中のチャンネルなどの前記受信装置に関する情報などを前記受信装置毎に保持／管理するデータ保持手段を備え、前記データ生成手段は、前記命令受信手段で前記特定の前記受信装置に対する前記命令情報などを受信する毎に、受信した前記命令情報をデータ放送フォーマットの信号に変換して前記データ保持手段に送信し、前記データ保持手段において、前記データ保持手段に保持／管理されている前記特定の前記受信装置に関する識別子などの情報と関連付けて保持／保管するとともに、前記受信装置が前記送信装置の何処にアクセスすれば自分宛の前記命令情報などを取得することができるかが分かるアクセス情報をデータ放送フォーマットで生成して前記ＭＵＸ手段に送信し、前記ＭＵＸ手段は、前記データ生成手段から送信された前記アクセス情報を、前記デジタル放送受信手段で受信した前記デジタル放送番組の少なくとも一つのチャンネルにおけるデータ放送のデータに多重するとともに、この多重に伴い前記番組情報生成手段において変更／生成される前記番組情報を多重し、これらの信号を新たな前記デジタル放送番組の信号として前記送信手段に送信し、
前記送信手段は、前記ＭＵＸ手段から受信した新たな前記デジタル放送番組の信号を前記第１のネットワークへ送信し、前記第１のネットワークおよび前記第１の通信手段などを介して受信した前記受信装置からの自分宛の前記命令情報などの送信要求に対し、前記データ保持手段において前記送信要求に該当する前記命令情報などが保持されている場合は、前記送信要求に該当する前記命令情報などを前記第１の通信手段および前記第１のネットワークなどを介して前記受信装置に送信するものであり、
前記受信装置は、前記送信装置から前記第１のネットワークを介して送信される前記デジタル放送番組を受信する受信手段と、前記受信手段で受信した信号を解析する解析手段と、前記第１のネットワークを介して前記送信装置などと通信する通信手段を備え、前記受信手段で受信した前記デジタル放送番組に含まれる前記データ放送のデータを前記解析手段で解析して前記アクセス情報を取得し、前記解析手段で取得した前記アクセス情報に基づき、前記通信手段から前記第１のネットワークを介して前記送信装置におけるアクセス先にアクセスして自分宛の前記命令情報の前記送信要求を送信し、前記送信要求に基づき前記送信装置から第１のネットワークを介して送信される自分宛の前記命令情報を前記通信手段で受信し、前記通信手段で受信した自分宛の前記命令情報に基づく処理を実行するものである、ことを特徴とするものである。
【００１５】
また、本願の第３の発明の受信装置制御システムは、第１のネットワークで互いに接続され、放送番組の映像・音声データやデータ放送のデータなどをデジタル放送番組として送信する送信装置と、前記送信装置が前記第１のネットワークを介して送信する前記デジタル放送番組を受信する少なくとも１つの受信装置で構成される受信装置制御システムであって、
前記送信装置は、地上デジタル放送などの前記デジタル放送番組を受信するデジタル放送受信手段と、地上デジタル放送などのデータ放送フォーマットの信号を生成し、命令情報専用チャンネルのデータ放送サービスのデータなどを生成するデータ生成手段と、前記デジタル放送受信手段で受信されたデータや前記データ生成手段で生成された命令情報専用チャンネルのデータ放送サービスのデータなどを前記受信装置で受信するために必要な番組情報を変更あるいは生成する番組情報生成手段と、前記デジタル放送受信手段からの前記デジタル放送番組の信号、前記データ生成手段で生成された信号および前記番組情報生成手段で生成された前記番組情報の信号などの信号を、前記第１のネットワークに送信できるように変換あるいは多重などの処理をするＭＵＸ（Ｍｕｌｔｉｐｌｅｘｅｒ）手段と、前記ＭＵＸ手段において処理された前記デジタル放送番組などの信号を、前記第１のネットワークへ送信する送信手段と、前記第１のネットワークを介して前記受信装置などと通信する第１の通信手段と、第２のネットワークを介して通信情報端末などと通信する第２の通信手段と、前記第２のネットワークおよび前記第２の通信手段を介して受信された特定の前記受信装置への命令情報を受信／処理する命令受信手段と、識別子など前記受信装置に関する情報を前記受信装置毎に保持／管理するデータ保持手段を備え、前記データ生成手段は、前記命令受信手段で前記特定の前記受信装置に対する前記命令情報を受信する毎に、受信した前記命令情報をデータ放送フォーマットの信号に変換し、前記データ保持手段に保持／管理されている前記特定の前記受信装置に関する識別子などの情報とともに、前記命令情報専用チャンネルのデータ放送サービスのデータとして生成して前記ＭＵＸ手段に送信し、さらに、前記デジタル放送受信手段から受信中のデジタル放送番組に関するＰＡＴ（Ｐｒｏｇｒａｍ  Ａｓｓｏｃａｔｉｏｎ  Ｔａｂｌｅ）、ＰＭＴ（Ｐｒｏｇｒａｍ  Ｍａｐ  Ｔａｂｌｅ）およびＮＩＴ（Ｎｅｔｗｏｒｋ  Ｉｎｆｏｒｍａｔｉｏｎ  Ｔａｂｌｅ）などの前記番組情報を受信して、これらを前記番組情報生成手段に送信し、前記番組情報生成手段は、前記データ生成手段から受信した前記ＮＩＴのサービスリストの先頭に前記命令情報専用チャンネルのデータ放送サービスを追加させるとともに、前記データ生成手段から受信した前記ＰＡＴおよび前記ＰＭＴに対し、前記命令情報専用チャンネルのデータ放送サービスの追加に伴う変更を加え、これらの追加あるいは変更した前記ＮＩＴ、前記ＰＡＴおよび前記ＰＭＴを前記ＭＵＸ手段に送信し、前記ＭＵＸ手段は、前記デジタル放送受信手段から送信されたデジタル放送番組に、前記データ生成手段から送信された前記命令情報専用チャンネルのデータ放送サービスのデータや、前記番組情報生成手段において追加あるいは変更した前記ＮＩＴ、前記ＰＡＴおよび前記ＰＭＴなどの信号を多重し、これらの信号を新たな前記デジタル放送番組の信号として前記送信手段に送信し、前記送信手段は、前記ＭＵＸ手段から受信した新たな前記デジタル放送番組の信号を前記第１のネットワークへ送信するものであり、
前記受信装置は、前記送信装置から前記第１のネットワークを介して送信される前記デジタル放送番組を受信する受信手段と、前記受信手段で受信した信号を解析する解析手段と、前記第１のネットワークを介して前記送信装置などと通信する通信手段を備え、視聴開始時および／または電源ＯＮ時に、選局中のチャンネルにかかわらず、前記受信手段において、まず前記ＮＩＴ（Ｎｅｔｗｏｒｋ  Ｉｎｆｏｒｍａｔｉｏｎ  Ｔａｂｌｅ）の前記サービスリストの先頭に位置づけられた前記命令情報専用チャンネルのデータ放送サービスを受信し、前記受信手段で受信した前記命令情報専用チャンネルの前記データ放送サービスのデータを前記解析手段で解析し、その結果、自らの受信装置に対する前記特定の前記命令情報を有していることを確認した場合は、前記特定の前記命令情報に基づく処理を実行し、その後、選局中のチャンネルの前記デジタル放送番組を受信するものである、ことを特徴とするものである。
【００１６】
また、本願の第４の発明の送信装置は、本願の第１の発明に記載の受信装置制御システムを構成する送信装置であって、
地上デジタル放送などの前記デジタル放送番組を受信するデジタル放送受信手段と、地上デジタル放送などのデータ放送フォーマットの信号を生成するデータ生成手段と、前記データ生成手段で生成された信号や放送番組の映像・音声データなどの信号を前記受信装置で受信するために必要な番組情報を生成する番組情報生成手段と、前記デジタル放送受信手段からの前記デジタル放送番組の信号、前記データ生成手段で生成された信号および前記番組情報生成手段で生成された前記番組情報の信号などの信号を、前記第１のネットワークに送信できるように変換あるいは多重などの処理をするＭＵＸ（Ｍｕｌｔｉｐｌｅｘｅｒ）手段と、前記ＭＵＸ手段において処理された前記デジタル放送番組などの信号を、前記第１のネットワークへ送信する送信手段と、前記第１のネットワークを介して前記受信装置などと通信する第１の通信手段と、第２のネットワークを介して通信情報端末などと通信する第２の通信手段と、前記第２のネットワークおよび前記第２の通信手段を介して受信された特定の前記受信装置への命令情報を受信／処理する命令受信手段と、識別子や前記第１の通信手段を介して前記受信装置から受信した選局中のチャンネルなどの前記受信装置に関する情報などを前記受信装置毎に保持／管理するデータ保持手段を備え、
前記データ生成手段は、前記命令受信手段で前記特定の前記受信装置に対する前記命令情報を受信する毎に、受信した前記命令情報をデータ放送フォーマットの信号に変換し、前記データ保持手段に保持／管理されている前記特定の前記受信装置に関する識別子などの情報とともに前記ＭＵＸ手段に送信し、前記ＭＵＸ手段は、前記データ生成手段から送信された信号を、前記デジタル放送受信手段で受信した前記デジタル放送番組のチャンネルの内の、前記データ保持手段に保持／管理されている前記特定の前記受信装置が選局中のチャンネルにおけるデータ放送のデータに多重するとともに、この多重に伴い前記番組情報生成手段において変更／生成された前記番組情報を多重し、これらの信号を新たな前記デジタル放送番組の信号として前記送信手段に送信し、前記送信手段は、前記ＭＵＸ手段から受信した新たな前記デジタル放送番組の信号を前記第１のネットワークへ送信することを特徴とするものである。
【００１７】
また、本願の第５の発明の送信装置は、本願の第２の発明に記載の受信装置制御システムを構成する送信装置であって、
地上デジタル放送などの前記デジタル放送番組を受信するデジタル放送受信手段と、地上デジタル放送などのデータ放送フォーマットの信号を生成するデータ生成手段と、前記データ生成手段で生成された信号や放送番組の映像・音声データなどの信号を前記受信装置で受信するために必要な番組情報を生成する番組情報生成手段と、前記デジタル放送受信手段からの前記デジタル放送番組の信号、前記データ生成手段で生成された信号および前記番組情報生成手段で生成された前記番組情報の信号などの信号を、前記第１のネットワークに送信できるように変換あるいは多重などの処理をするＭＵＸ（Ｍｕｌｔｉｐｌｅｘｅｒ）手段と、前記ＭＵＸ手段において処理された前記デジタル放送番組などの信号を、前記第１のネットワークへ送信する送信手段と、前記第１のネットワークを介して前記受信装置などと通信する第１の通信手段と、第２のネットワークを介して通信情報端末などと通信する第２の通信手段と、前記第２のネットワークおよび前記第２の通信手段を介して受信された特定の前記受信装置への命令情報を受信／処理する命令受信手段と、識別子や前記第１の通信手段を介して前記受信装置から受信した選局中のチャンネルなどの前記受信装置に関する情報などを前記受信装置毎に保持／管理するデータ保持手段を備え、
前記データ生成手段は、前記命令受信手段で前記特定の前記受信装置に対する前記命令情報などを受信する毎に、受信した前記命令情報をデータ放送フォーマットの信号に変換して前記データ保持手段に送信し、前記データ保持手段において、前記データ保持手段に保持／管理されている前記特定の前記受信装置に関する識別子などの情報と関連付けて保持／保管するとともに、前記受信装置が前記送信装置の何処にアクセスすれば自分宛の前記命令情報などを取得することができるかが分かるアクセス情報をデータ放送フォーマットで生成して前記ＭＵＸ手段に送信し、前記ＭＵＸ手段は、前記データ生成手段から送信された前記アクセス情報を、前記デジタル放送受信手段で受信した前記デジタル放送番組の少なくとも一つのチャンネルにおけるデータ放送のデータに多重するとともに、この多重に伴い前記番組情報生成手段において変更／生成される前記番組情報を多重し、これらの信号を新たな前記デジタル放送番組の信号として前記送信手段に送信し、前記送信手段は、前記ＭＵＸ手段から受信した新たな前記デジタル放送番組の信号を前記第１のネットワークへ送信し、前記第１のネットワークおよび前記第１の通信手段などを介して受信した前記受信装置からの自分宛の前記命令情報などの送信要求に対し、前記データ保持手段において前記送信要求に該当する前記命令情報などが保持されている場合は、前記送信要求に該当する前記命令情報などを前記第１の通信手段および前記第１のネットワークなどを介して前記受信装置に送信することを特徴とするものである。
【００１８】
また、本願の第６の発明の送信装置は、本願の第３の発明に記載の受信装置制御システムを構成する送信装置であって、
地上デジタル放送などの前記デジタル放送番組を受信するデジタル放送受信手段と、地上デジタル放送などのデータ放送フォーマットの信号を生成し、命令情報専用チャンネルのデータ放送サービスのデータなどを生成するデータ生成手段と、前記デジタル放送受信手段で受信されたデータや前記データ生成手段で生成された命令情報専用チャンネルのデータ放送サービスのデータなどを前記受信装置で受信するために必要な番組情報を変更あるいは生成する番組情報生成手段と、前記デジタル放送受信手段からの前記デジタル放送番組の信号、前記データ生成手段で生成された信号および前記番組情報生成手段で生成された前記番組情報の信号などの信号を、前記第１のネットワークに送信できるように変換あるいは多重などの処理をするＭＵＸ（Ｍｕｌｔｉｐｌｅｘｅｒ）手段と、前記ＭＵＸ手段において処理された前記デジタル放送番組などの信号を、前記第１のネットワークへ送信する送信手段と、前記第１のネットワークを介して前記受信装置などと通信する第１の通信手段と、第２のネットワークを介して通信情報端末などと通信する第２の通信手段と、
前記第２のネットワークおよび前記第２の通信手段を介して受信された特定の前記受信装置への命令情報を受信／処理する命令受信手段と、識別子など前記受信装置に関する情報を前記受信装置毎に保持／管理するデータ保持手段を備え、
前記データ生成手段は、前記命令受信手段で前記特定の前記受信装置に対する前記命令情報を受信する毎に、受信した前記命令情報をデータ放送フォーマットの信号に変換し、前記データ保持手段に保持／管理されている前記特定の前記受信装置に関する識別子などの情報とともに、前記命令情報専用チャンネルのデータ放送サービスのデータとして生成して前記ＭＵＸ手段に送信し、さらに、前記デジタル放送受信手段から受信中のデジタル放送番組に関するＰＡＴ（Ｐｒｏｇｒａｍ  Ａｓｓｏｃａｔｉｏｎ  Ｔａｂｌｅ）、ＰＭＴ（Ｐｒｏｇｒａｍ  Ｍａｐ  Ｔａｂｌｅ）およびＮＩＴ（Ｎｅｔｗｏｒｋ  Ｉｎｆｏｒｍａｔｉｏｎ  Ｔａｂｌｅ）などの前記番組情報を受信して、これらを前記番組情報生成手段に送信し、前記番組情報生成手段は、前記データ生成手段から受信した前記ＮＩＴのサービスリストの先頭に前記命令情報専用チャンネルのデータ放送サービスを追加させるとともに、前記データ生成手段から受信した前記ＰＡＴおよび前記ＰＭＴに対し、前記命令情報専用チャンネルのデータ放送サービスの追加に伴う変更を加え、これらの追加あるいは変更した前記ＮＩＴ、前記ＰＡＴおよび前記ＰＭＴを前記ＭＵＸ手段に送信し、前記ＭＵＸ手段は、前記デジタル放送受信手段から送信されたデジタル放送番組に、前記データ生成手段から送信された前記命令情報専用チャンネルのデータ放送サービスのデータや、前記番組情報生成手段において追加あるいは変更した前記ＮＩＴ、前記ＰＡＴおよび前記ＰＭＴなどの信号を多重し、これらの信号を新たな前記デジタル放送番組の信号として前記送信手段に送信し、前記送信手段は、前記ＭＵＸ手段から受信した新たな前記デジタル放送番組の信号を前記第１のネットワークへ送信することを特徴とするものである。
【００１９】
また、本願の第７の発明の受信装置は、本願の第１の発明に記載の受信装置制御システムを構成する受信装置であって、
前記送信装置から前記第１のネットワークを介して送信される前記デジタル放送番組を受信する受信手段と、前記受信手段で受信した信号を解析する解析手段と、前記第１のネットワークを介して前記送信装置などと通信する通信手段を備え、
チャンネル切り替え時および／または電源ＯＮ時に、前記受信手段が選局しているチャンネルの情報を、前記通信手段から前記第１のネットワークを介して前記送信装置の前記第１の通信手段に送信し、視聴時あるいは電源ＯＮ時に前記受信手段で前記デジタル放送番組を受信し、前記受信手段で受信した前記デジタル放送番組に含まれる前記データ放送のデータを前記解析手段で解析し、その結果、自らの受信装置に対する前記特定の前記命令情報を有していることを確認した場合は、前記特定の前記命令情報に基づく処理を実行することを特徴とするものである。
【００２０】
また、本願の第８の発明の受信装置は、本願の第２の発明に記載の受信装置制御システムを構成する受信装置であって、
前記送信装置から前記第１のネットワークを介して送信される前記デジタル放送番組を受信する受信手段と、前記受信手段で受信した信号を解析する解析手段と、前記第１のネットワークを介して前記送信装置などと通信する通信手段を備え、
前記受信手段で受信した前記デジタル放送番組に含まれる前記データ放送のデータを前記解析手段で解析して前記アクセス情報を取得し、前記解析手段で取得した前記アクセス情報に基づき、前記通信手段から前記第１のネットワークを介して前記送信装置におけるアクセス先にアクセスして自分宛の前記命令情報の前記送信要求を送信し、前記送信要求に基づき前記送信装置から第１のネットワークを介して送信される自分宛の前記命令情報を前記通信手段で受信し、前記通信手段で受信した自分宛の前記命令情報に基づく処理を実行することを特徴とするものである。
【００２１】
また、本願の第９の発明の受信装置は、本願の第３の発明に記載の受信装置制御システムを構成する受信装置であって、
前記送信装置から前記第１のネットワークを介して送信される前記デジタル放送番組を受信する受信手段と、前記受信手段で受信した信号を解析する解析手段と、前記第１のネットワークを介して前記送信装置などと通信する通信手段を備え、
視聴開始時および／または予め定めた時間周期で動作する電源ＯＮ時に、選局中のチャンネルにかかわらず、前記受信手段において、まず前記ＮＩＴ（Ｎｅｔｗｏｒｋ  Ｉｎｆｏｒｍａｔｉｏｎ  Ｔａｂｌｅ）の前記サービスリストの先頭に位置づけられた前記命令情報専用チャンネルのデータ放送サービスを受信し、前記受信手段で受信した前記命令情報専用チャンネルの前記データ放送サービスのデータを前記解析手段で解析し、その結果、自らの受信装置に対する前記特定の前記命令情報を有していることを確認した場合は、前記特定の前記命令情報に基づく処理を実行し、その後、選局中のチャンネルの前記デジタル放送番組を受信することを特徴とするものである。
【発明の効果】
【００２２】
本発明の受信装置制御システムによれば、ＣＡＴＶネットワーク外の携帯電話などからＣＡＴＶネットワーク内の録画装置に対し、番組録画予約などの制御を行なうことが可能となる。
【発明を実施するための最良の形態】
【００２３】
以下に、本発明を実施するための最良の形態について、図面を参照しながら説明する。
【００２４】
（実施の形態１）
図１は、本発明の実施の形態１におけるＣＡＴＶネットワークでの受信装置制御システムの構成を示すブロック図である。なお、第１のネットワークとしてＣＡＴＶネットワークを、第２のネットワークとしてインターネットを例に挙げて説明を行なうが、ネットワークの形態に関しては特にこれに限定するものではない。
【００２５】
図１において、ＣＡＴＶ局（送信装置）１１０は、受信装置（ＳＴＢ：Ｓｅｔ  Ｔｏｐ  Ｂｏｘ）１００がＣＡＴＶネットワーク１２０を介してＣＡＴＶ局１１０と通信するためにＥｔｈｅｒｎｅｔ（登録商標）信号と６４ＱＡＭ（Ｑｕａｄｒａｔｕｒｅ  Ａｍｐｌｉｔｕｄｅ  Ｍｏｄｕｌａｔｉｏｎ）信号を相互に変換し、後述するサーバ１１２の通信部２１２１とともに第１の通信手段を構成するＣＭＴＳ１１１と、ＣＡＴＶネットワーク１２０を介して受信装置１００から受信する受信装置１００に関する情報や、ＣＡＴＶネットワークの外部の携帯電話１５０からインターネット１４０を介して受信する受信装置１００への制御情報等を保持／管理するなどの機能を有するサーバ１１２と、地上デジタル放送などの放送番組の映像・音声データやデータ放送のデータなどを受信するデジタル放送受信手段１１５と、デジタル放送受信手段１１５から送信されるデジタル放送番組の信号や、サーバ１１２から送信されるデータ放送用のデータ信号および番組情報の信号などを、ＣＡＴＶネットワーク１２０に送信できるように信号を変換したり多重したりするＭＵＸ（Ｍｕｌｔｉｐｌｅｘｅｒ）手段１１４と、ＭＵＸ手段１１４からの信号を６４ＱＡＭ（Ｑｕａｄｒａｔｕｒｅ  Ａｍｐｌｉｔｕｄｅ  Ｍｏｄｕｌａｔｉｏｎ）変調し、その変調した信号をＣＡＴＶネットワーク１２０に送信する送信手段（図示せず）としての機能を有するＱＡＭ１１３などで構成されている。
【００２６】
一方、受信装置（ＳＴＢ）１００は、ユーザーが選択した番組を受信してＱＡＭ復調を行うチューナ部１０１と、チューナ部１０１で復調したＴＳ（Ｔｒａｎｓｐｏｒｔ  Ｓｔｒｅａｍ）信号をチューナ部１０１から受信し、ユーザーが選択した番組のＴＳ信号をデコードして処理するＴＳデコード部１０２と、チューナ部１０１とＴＳデコード部１０２で構成される受信手段１０７においてデコードされた信号に含まれるデータ放送などのＢＭＬ（Ｂｒｏａｄｃａｓｔ  Ｍａｒｋｕｐ  Ｌａｎｇｕａｇｅ）データを解析して処理するＢＭＬ解析手段１０３と、受信データをＴＶ（ＴｅｌｅＶｉｓｉｏｎ）１３０で表示するための表示信号を生成する表示手段１０４と、外部と通信するための処理を行う通信手段１０６と、通信手段１０６で生成された信号をＣＡＴＶネットワーク１２０に適したフォーマットに変換して通信するケーブルモデム１０５と、受信装置１００における種々の制御を掌る制御手段（図示せず）などで構成される。この制御手段は、一般的には受信装置１００に搭載されるプロセッサなどで実現される。
【００２７】
また、携帯電話１５０は、ＣＡＴＶネットワーク１２０に接続されている自宅の受信装置１００に対して番組録画予約を行う場合、既存のブラウザなどを起動してＵＲＬ（Ｕｎｉｆｏｒｍ  Ｒｅｓｏｕｒｃｅ  Ｌｏｃａｔｏｒ）などを入力し、インターネット１４０を介してＣＡＴＶ局１１０のサーバ１１２にアクセスする。
【００２８】
なお、携帯電話１５０がアクセスする方法は、特に上記方法に限定するものではない。
【００２９】
次に、図２を用いてＣＡＴＶ局１１０におけるサーバ１１２の構成についてより詳しく説明する。なお、図２は、サーバ１１２の構成を示すブロック図である。
【００３０】
図２において、サーバ１１２は、インターネット１４０を介して通信を行う第２の通信手段２１２７と、地上デジタル放送などのデジタル放送波を受信するデジタル放送受信手段１１５からデジタル放送のＳＩ（Ｓｅｒｖｉｃｅ  Ｉｎｆｏｒｍａｔｉｏｎ）情報を取得し、番組表データを生成するメニュー生成手段２１２６と、メニュー生成手段２１２６で生成した番組表データを、第２の通信手段２１２７を介してインターネット１４０に配信するメニュー配信手段２１２５と、外部の携帯電話１５０等からの予約実行等の命令情報を第２の通信手段２１２７を介して受信する命令受信手段２１２４と、命令受信手段２１２４で受信した外部の携帯電話１５０等からの予約実行などの命令情報や、後述するデータ保持手段で保持／管理されているデータ等を基に、デジタル放送信号に多重する予約実行等の命令情報のデータなどを生成するデータ生成手段２１２３と、データ生成手段２１２３で生成された予約実行等の命令情報のデータをデジタル放送で受信できるようにするための番組情報などを生成あるいは変更する番組情報生成手段２１２２と、携帯電話１５０の電話番号などの識別情報やＣＡＴＶ局１１０に加入している顧客の顧客情報等を保持／管理するデータ保持手段２１２８と、ＣＭＴＳ１１１とともに第１の通信手段２１２９を構成し、ＣＡＴＶネットワーク１２０を介して受信装置１００と通信を行う通信部２１２１などで構成される。
【００３１】
次に、本発明の実施の形態１における受信装置制御システムの処理の流れについて、図１〜図４を参照しながら説明する。なお、図３は、本発明の実施の形態１における受信装置制御システムにおいて、ユーザーが番組録画予約をする場合の処理の流れを示す図であり、図４は、サーバ１１２においてデジタル放送に多重する受信装置１００に対する番組録画予約などの制御情報（命令情報）を生成する場合のシーケンスを示す図である。
【００３２】
図３において、利用者（ユーザー）が外部からＣＡＴＶネットワーク１２０内にある自宅の受信装置１００に対して番組録画予約を行う場合、ユーザーは、携帯電話１５０などを用いてインターネット１４０を介してＣＡＴＶ局１１０のサーバ１１２に対してアクセスし、番組表等のメニューを要求する（Ｓ３０１）。携帯電話１５０などからアクセスされたサーバ１１２は、メニュー生成手段２１２６においてデジタル放送受信手段１１５を介してデジタル放送から取得したＳＩ情報を基に、ＨＴＭＬ（Ｈｙｐｅｒ  Ｔｅｘｔ  Ｍａｒｋｕｐ  Ｌａｎｇｕａｇｅ）を用いて番組表データを記述した番組表情報を生成し、その生成した番組表情報を、メニュー配信手段２１２５から第２の通信手段２１２７を介して携帯電話１５０に対しＨＴＴＰ（Ｈｙｐｅｒ  Ｔｅｘｔ  Ｔｒａｎｓｆｅｒ  Ｐｒｏｔｃｏｌ）で送信（Ｓ３０２）し、携帯電話１５０は、サーバ１１２からブラウザなどで送られてきた番組表データ（番組表情報）を表示部（図示せず）に表示する。
【００３３】
なお、番組表データを記述する言語をＨＴＭＬとしたが、携帯電話１５０などで閲覧可能な言語であれば、特にＨＴＭＬに限定するものではない。
【００３４】
また、配信（送信）する際のプロトコルをＨＴＴＰとしたが、携帯電話１５０などで取得可能なプロトコルであれば、特にＨＴＴＰに限定するものではない。
【００３５】
また、ユーザーは、携帯電話１５０からＣＡＴＶ局１１０のサーバ１１２にアクセスして番組表等のメニューを入手するとしたが、これに限るものではなく、例えば、インターネット１４０に接続されている番組表提供サービスセンター２６０にアクセスして入手するようにしてもよい。
【００３６】
ユーザーは、ブラウザで表示された番組表データから録画したい番組を選択し、それを番組録画予約情報としてサーバ１１２に送信する（Ｓ３０３）。サーバ１１２の命令受信手段２１２４は、携帯電話１５０からの録画予約情報を第２の通信手段２１２７を介して受信した際、録画予約情報とともに送信される携帯電話１５０を識別する識別子を取得する。識別子としては、携帯電話１５０の電話番号や携帯電話の機器番号などが活用できるが、ユーザーを確実に識別できるものであれば、特にこれらの電話番号や機器番号などに限定するものではない。なお、ユーザーがＣＡＴＶ局１１０のサーバ１１２に送信する番組録画予約情報としては、サーバ１１２から番組表データとして提示されたものをユーザーが携帯電話１５０で選択するようにしてもよいし、ユーザーが携帯電話１５０を用いて特定のフォーマットで予約時間やチャンネルなどを入力するようにしてもよく、特に上記事例に限定するものではない。
【００３７】
携帯電話１５０から録画予約情報を第２の通信手段２１２７を介して受信したサーバ１１２は、該録画予約情報をデジタル放送のデータ放送に多重して送信できる信号フォーマットに変換した録画予約情報を生成してデータ放送のデータとして多重するとともに、録画予約情報をデータ放送として多重することに伴う番組情報ＰＭＴ（Ｐｒｏｇｒａｍ  Ｍａｐ  Ｔａｂｌｅ）の変更を行い（Ｓ３０４）、録画予約情報を多重したデータ放送のデータおよび変更を加えたＰＭＴなどの番組情報をＭＵＸ手段１１４に送信し、ＭＵＸ手段１１４に対してこれらのデータ放送のデータ並びに番組情報をデジタル放送に多重するように制御する（Ｓ３０５）。
【００３８】
次に、図４を用いて、ステップＳ３０４およびステップＳ３０５における処理動作を、より詳しく説明する。なお、図４は、本発明の実施の形態１における受信装置１００に送信する録画予約データを生成／多重する処理の流れを示す図である。
【００３９】
命令受信手段２１２４は、携帯電話１５０から第２の通信手段２１２７を介して録画予約情報等を受信する（Ｓ４００）と、取得した録画予約情報とユーザーを特定する識別子をデータ生成手段２１２３に送信する。データ生成手段２１２３は、命令受信手段２１２４から受信したユーザーの識別子を基に、データ保持手段２１２８に保持／管理されている該当受信装置１００に関する受信装置の識別子を取得する（Ｓ４０１）とともに、該当受信装置１００が選局中のチャンネルの情報などの該受信装置１００に関する情報を取得する（Ｓ４０２）。なお、データ保持手段２１２８は、ＣＡＴＶ局１１０のユーザー毎に、受信装置１００の識別子、携帯電話１５０の識別子および現在選局中のチャンネルの情報等の受信装置１００に関する情報を保持／管理している。
【００４０】
なお、受信装置１００に関する情報はデータ保持手段２１２８から取得するとしたが、少なくともその一部の情報はユーザーが携帯電話１５０で予約録画情報等を送信する際に、直接受信装置１００の識別子などの受信装置１００に関する情報を送信するようにしてもよい。
【００４１】
次に、データ生成手段２１２３は、データ保持手段２１２８から取得した受信装置１００に関する情報から該当受信装置１００を特定し、命令受信手段２１２４から受信した命令情報（制御情報）に基づき、該当受信装置１００を制御（ここでは番組録画予約）するための制御情報（ここでは、番組録画予約情報）を、デジタル放送で運用されているデータ放送の記述言語であるＢＭＬで記述する（Ｓ４０３）。また、データ生成手段２１２３は、デジタル放送受信手段１１５で受信中のデジタル放送のＰＡＴ（Ｐｒｏｇｒａｍ  Ａｓｓｏｃａｔｉｏｎ  Ｔａｂｌｅ）情報、およびＰＭＴ情報をデジタル放送受信手段１１５から取得し（Ｓ４０４）、該当受信装置１００が選局中の番組にデータ放送が多重されているか否かを判定する（Ｓ４０５）。該当受信装置１００が選局中の番組にデータ放送が多重されている場合は、その多重されている該データ放送のデータを抽出し、該データ放送のデータにステップＳ４０３においてＢＭＬで記述した制御情報をマージする（Ｓ４０６）。さらに、データ生成手段２１２３は、番組情報生成手段２１２２に対して指示し、ＢＭＬで記述した制御情報を該データ放送のデータに多重することに伴うＰＭＴの変更を実行させ（Ｓ４０７）、変更したＰＭＴをＭＵＸ手段に送信させるとともに、ＢＭＬで記述された制御情報をマージしたデータを該データ放送の新たなデータとしてＭＵＸ手段１１４に送信する（Ｓ４０８）。また、該当受信装置１００が選局中の番組にデータ放送が多重されていない場合は、データ生成手段２１２３は、番組情報生成手段２１２２に対してＰＭＴの変更指示を行い、ステップＳ４０３においてＢＭＬで記述した制御情報を、データ放送として該当受信装置１００が選局中の番組に多重するためのＰＭＴの変更を行い（Ｓ４０７）、変更したＰＭＴをＭＵＸ手段１１４に送信するとともに、ステップＳ４０３においてＢＭＬで記述された制御情報のデータを、該当受信装置１００が選局中の番組に多重するデータ放送用のデータとしてＭＵＸ手段１１４に送信する（Ｓ４０８）。番組情報生成手段２１２２は、ＰＭＴの変更を行った後、それぞれの変更したＰＭＴをＭＵＸ手段１１４に送信する（Ｓ４０８）。ＭＵＸ手段１１４は、該当受信装置１００が選局中の番組のデジタル放送信号に対して、データ生成手段２１２３および番組情報生成手段２１２２からそれぞれ送信されたステップＳ４０３においてＢＭＬで記述された制御情報を有するデータ放送用のデータと、変更されたＰＭＴ情報を多重し（Ｓ３０６）、送信手段（図示せず）としての機能を有するＱＡＭ１１３において６４ＱＡＭ変調を行った後、ＣＡＴＶネットワーク１２０に送信する（Ｓ３０７）。
【００４２】
なお、ＭＵＸ手段１１４において、該当受信装置１００が選局中のチャンネルの番組を判断して、選局中のチャンネルの番組にのみ該当する制御情報を多重することとしたが、該当受信装置１００が選局中のチャンネルを含むすべての放送チャンネルに制御情報を多重するようにしてもかまわない。しかし、この場合は、本発明の実施の形態１に比べ、ネットワークにおける帯域の利用効率が悪くなる。
【００４３】
ＳＴＢ（受信装置）１００は、主電源がＯＮの場合は、選局しているチャネルの放送番組を受信し、また、主電源がＯＦＦの場合は、内蔵するタイマー等により予め定めた周期で電源がＯＮの状態となるように設定されており、主電源をＯＦＦにする直前の主電源がＯＮの場合に選局していたチャンネルの放送番組を受信する（Ｓ３０８）。受信装置１００は、受信したデジタル放送番組に含まれるデータ放送のデータを分離し、そこに記述されているＢＭＬデータをＢＭＬ解析手段１０３で解析する（Ｓ３０９）。解析した結果、自身の受信装置１００に対する録画予約情報が含まれていることが判明した場合は、録画処理手段（図示せず）において、受信したデジタル放送番組におけるデータ放送のデータに含まれる録画予約情報に基づいて、通常のリモコンなどで設定される録画予約処理と同様の処理を行う（Ｓ３１０）。
【００４４】
なお、ＳＴＢ１００の主電源がＯＦＦの場合は、内蔵するタイマー等により予め定めた周期で電源がＯＮの状態となるようにするとしたが、これに限るものではなく、例えば、主電源がＯＦＦの場合は、ＣＡＴＶネットワークの外部からの番組録画予約などの命令情報を常に受信できるようにするため、少なくとも装置の一部の電源がＯＮの状態になっているようにしてもよい。
【００４５】
次に、図５を用いて、録画予約情報のデータ放送記述の一例を説明する。なお、図５（ａ）は、本発明の実施の形態１における受信装置に対し受信した録画予約情報に基づく処理の実行を要求するデータ放送記述の一例を示す図である。
【００４６】
図５（ａ）において、（イ）のｓｔｂｉｄ＝ｂｒｏｗｓｅｒ．ｇｅｔＩＲＤＩＤ（５）は、ＢＭＬブラウザを起動して受信装置の識別子として受信装置１００のＢ−ＣＡＳ（Ｃｏｎｄｉｔｉｏｎａｌ  Ａｃｃｅｓｓ  Ｓｙｓｔｅｍ）カードＩＤを読み出す命令であり、（ロ）のｉｆ（ｓｔｂｉｄ＝＝ＤＯ＿ＹＯＹＡＫＵ＿ＩＤ）は、ユーザーが携帯電話１５０からサーバ１１２に録画予約情報を送信したときの録画予約の対象となる受信装置１００の識別子であるＤＯ＿ＹＯＹＡＫＵ＿ＩＤと、（イ）で読み出した受信装置の識別子であるｂＢ−ＣＡＳカードＩＤとを比較して、一致した場合に録画予約を実行させる命令である。なお、（ハ）のｂｒｏｗｓｅｒ．ＤｏＹｏｙａｋｕは、新たに設定する録画予約を実行する関数であり、次に続くカッコ内の７ｆｄ０．７ｆｄ０．０ｃ８１は、予約する番組を指し示す値で、それぞれオリジナルネットワークＩＤ、トランスポートストリームＩＤ、サービスＩＤであり、次に続く０００５は、番組を指し示すイベントＩＤである。イベントＩＤはデジタル放送のＳＩ情報に記述されており、デジタル放送中の番組を一意に特定できる識別子である。これによりある特定の番組を録画予約することができる。
【００４７】
（実施の形態２）
本発明の実施の形態２におけるＣＡＴＶネットワークでの受信装置制御システムを構成する送信装置は、本発明の実施の形態１におけるＣＡＴＶ局（送信装置）１１０と同様の構成を備え、さらに、サーバ１１２内のデータ生成手段２１２３、番組情報生成手段２１２２およびＭＵＸ手段１１４において、デジタル放送のＮＩＴ（Ｎｅｔｗｏｒｋ  Ｉｎｆｏｒｍａｔｉｏｎ  Ｔａｂｌｅ）を変更して予約制御情報を送出するための専用番組としての新たなチャンネルを生成する機能を備える構成となっている。
【００４８】
以下に、図１および図２を参照しながら図６〜図８を用いて、本発明の実施の形態２における受信装置制御システムについて説明する。なお、図６は、本発明の実施の形態２における録画予約のための制御データを生成／多重する場合の処理の流れを示す図であり、図７は、本発明の実施の形態２におけるＮＩＴのサービスリストの変更例を示す図であり、図８は、本発明の実施の形態２における視聴者がテレビのリモコンを使って選局した場合の番組視聴までの画面遷移を示す図である。また、本発明の実施の形態１における受信装置制御システムと同様の構成については説明を省略し、ここではサーバ１１２における録画予約命令等の制御情報を生成するための処理や、新たなサービスを追加するための処理などについて説明する。
【００４９】
命令受信手段２１２４は、第２の通信手段２１２７およびインターネット１４０を介して携帯電話１５０などから録画予約命令（録画予約情報）を受信する（Ｓ６００）と、受信した録画予約情報とユーザーを特定する識別子をデータ生成手段２１２３に送信する。データ生成手段２１２３は、受信したユーザーを特定する識別子を基に、データ保持手段２１２８から該当受信装置１００の識別子（ＩＤ）を取得し（Ｓ６０１）、さらに、該当受信装置１００が選局中のチャンネルの情報を取得する（Ｓ６０２）。ただし、本発明の実施の形態２においては、該当受信装置１００が選局中のチャンネルの情報は、ＮＩＴ以外は直接活用しないので取得してもしなくてもどちらでもよい。
【００５０】
なお、データ保持手段２１２８は、ＣＡＴＶ局１１０のユーザー毎に、受信装置１００の識別子、携帯電話１５０の識別子および受信装置１００が現在選局中のチャンネル情報などの情報を保持／管理している。
【００５１】
また、受信装置の識別子をデータ保持手段２１２８から取得するとしたが、本発明の実施の形態１において説明したように、ユーザーが携帯電話１５０で録画予約情報をＣＡＴＶ局１１０に送信する際に、直接受信装置の識別子を録画予約情報とともに送信するようにしてもよい。
【００５２】
次に、データ生成手段２１２３は、データ保持手段２１２８から取得した該当受信装置１００に関する情報と受信した録画予約情報を基に、該当受信装置を録画予約制御するための録画予約制御情報を生成し、この生成した録画予約制御情報をデジタル放送で運用されているデータ放送の記述言語であるＢＭＬで記述し、これを予約制御情報専用番組として新たに創出する放送チャンネルのデータ放送コンテンツとして活用する（Ｓ６０３）とともに、デジタル放送受信手段１１５において受信中のデジタル放送番組のＰＡＴ、ＰＭＴおよびＮＩＴ情報を、デジタル放送受信手段１１５から取得する（Ｓ６０４）。データ生成手段２１２３は、また、取得したＰＡＴ、ＰＭＴおよびＮＩＴを番組情報生成手段２１２２に送信し、番組情報生成手段２１２２に対し、ＢＭＬで記述した録画予約制御情報を、新たに創出する予約制御情報専用番組としての放送チャンネルにおけるデータ放送コンテンツとして活用することに対応して、ＰＡＴ、ＰＭＴおよびＮＩＴの情報の追加、変更あるいは生成を指示する。番組情報生成手段２１２２は、番組情報生成手段２１２２からの指示に従い、取得したＮＩＴの第２ループにあるサービスリスト記述子を解析し、その一番先頭に新たに創出する予約制御情報専用番組の放送に対応するサービスを新たに追加する（Ｓ６０５）。併せて、ＰＡＴの変更および新たな予約制御情報専用番組の放送サービスに対応するＰＭＴを生成する（Ｓ６０６）。
【００５３】
ここで、図７を用いてサービスリストに情報が追加される例を説明する。なお、図７は、本発明の実施の形態２におけるＮＩＴのサービスリストの変更例を示す図である。
【００５４】
図７において、サービスリスト（Ａ）は、ステップＳ４０４においてデジタル放送から取得したＮＩＴのサービスリストであり、サービスリスト（Ｂ）は、新たに予約制御情報専用番組の放送を創出／多重した後のＮＩＴのサービスリストである。図７（Ｂ）に記載の「２１１」が、新たに創出／多重された予約制御情報専用番組の放送チャンネルに関するサービスを示すものである。
【００５５】
なお、地上デジタル放送においては、サービスリストの先頭に記述されたサービスはプライマリサービスと呼ばれ、先頭に記述されたサービスはＴＶを視聴する際に用いるリモコンの１〜１２のワンタッチボタンに割り当てられるサービスとなる。また、地上デジタル放送の場合は、上記のようにリモコンのボタンを１回押すだけで選局する方法の他に、これらのワンタッチボタンによって番組に割り当てられた３桁の番号を入力して選局する方法もある。
【００５６】
ＢＭＬで記述された録画予約制御データがデータ放送コンテンツとして多重されている新たに創出／多重された予約制御情報専用チャンネルの放送データと、変更あるいは生成されたＰＡＴ、ＰＭＴおよびＮＩＴは、それぞれＭＵＸ手段１１４に送信される（Ｓ６０７）。新たに創出／多重された予約制御情報専用チャンネルの放送データは、ＭＵＸ手段１１４において、新たな放送チャンネルとして追加され、変更あるいは生成されたＰＡＴ、ＰＭＴおよびＮＩＴとともに、デジタル放送信号に対して多重された後、ＱＡＭ１１３において６４ＱＭＡ変調されてＣＡＴＶネットワーク１２０に送信される。
【００５７】
受信装置１００は、番組視聴開始時および／または電源ＯＮ時に、必ずＮＩＴのサービスリストの先頭に位置づけられている新たに追加された予約制御（予約命令）情報専用チャンネルのデータ放送サービスをまず受信してから、通常の番組視聴動作に入るようになっている。
【００５８】
この様子を、図８を用いて説明する。なお、図８は、本発明の実施の形態２における番組視聴のイメージを表した図である。
【００５９】
図８において、受信装置１００に附属するＴＶ視聴用のリモコン８０１のワンタッチボタンの内、仮に「１」を押した際に、予約制御情報専用チャンネルのデータ放送サービスがない従来の場合は、例えば、図７のサービスリストに「０１１」と記載されているサービスに対応するＴＶサービスを直ちに受信し、そのサービス内容をＴＶ１３０の画面８０２に表示する。
【００６０】
これに対する本発明の実施の形態２における受信動作について以下に説明する。まず、ＴＶ画面への表示データを有さない予約制御情報専用チャンネルのデータ放送サービスをまず受信する。該データ放送サービスには、例えば、図９に示すような録画予約に関する制御情報がＢＭＬ形式で記述されている。図９において、（ホ）のｓｔｂｉｄ＝ｂｒｏｗｓｅｒ．ｇｅｔＩＲＤＩＤ（５）は、ＢＭＬブラウザを起動して受信装置の識別子として受信装置１００のＢ−ＣＡＳ（Ｃｏｎｄｉｔｉｏｎａｌ  Ａｃｃｅｓｓ  Ｓｙｓｔｅｍ）カードＩＤを読み出す命令であり、（ヘ）のｉｆ（ｓｔｂｉｄ＝＝ＤＯ＿ＹＯＹＡＫＵ＿ＩＤ）は、ユーザーが携帯電話１５０からサーバ１１２に録画予約情報を送信する場合の該当する受信装置の識別子であるＤＯ＿ＹＯＹＡＫＵ＿ＩＤと、（ホ）で読み出した受信装置の識別子であるｂＢ−ＣＡＳカードＩＤとを比較して、一致した場合に録画予約を実行する命令である。なお、（ト）のｂｒｏｗｓｅｒ．ＤｏＹｏｙａｋｕは、本発明の実施の形態１で示したとおり、新たに規定する録画予約を実行する関数であり、次に続くカッコ内の数字の７ｆｄ０．７ｆｄ０．０ｃ８１は、受信する番組を指し示す値で、それぞれ左から順にオリジナルネットワークＩＤ、トランスポートストリームＩＤ、サービスＩＤであり、次に続く０００５は、番組を指し示すイベントＩＤである。イベントＩＤは、デジタル放送のＳＩ情報に記述されており、デジタル放送中の番組を一意に特定できる識別子である。これにより、ある特定の番組を録画予約することができる。以上のようにして録画予約の対象となる受信装置であることを確認すると録画予約の実行処理を行い、その後（チ）のｂｒｏｗｓｅｒ．ｅｐｇｔｕｎｅ（０００４．４０ｆ０．００ａ０）で通常のＴＶサービス、例えば、図７のサービスリストに記載のＴＶ視聴用のリモコン８０１のワンタッチボタンの「１」に対応付けられた「０１１」に対応するＴＶサービスを受信する。また、録画予約の指定をされなかった対象外の受信装置は、予約制御情報専用チャンネルのデータ放送サービスを一旦受信はするが、該データ放送サービスはＴＶ画面への表示データを有さないデータ放送サービスであり、該データ放送サービスを受信中はＴＶ１３０の画面８０２には何も表示されないため、対象外の受信装置では、従来の場合と同様に通常の視聴動作のみが実行されるのとほぼ同様の動作となる。したがって、本発明の実施の形態２においては、対象外の受信装置には影響を与えることなく、対象になっている受信装置に対して録画予約の処理を実行することが出来る。
【００６１】
なお、ＮＩＴへのサービスの追加は、携帯電話１５０等で録画予約などの要求があった場合に多重する方法を例に挙げて説明をしたが、これに限るものではなく、例えば、予めデータ放送サービスを追加しておいて、携帯電話１５０等で録画予約などの予約の要求があった場合に、そのデータ放送の内容のみを変更する方法であっても構わない。
【００６２】
また、本発明の実施の形態１および２において、受信装置の識別子としてＢ−ＣＡＳカードＩＤを用いたが、これに限るものではなく、例えば、データ保持手段２１２８に保持されるデータと整合さえ取れれば、受信装置（ＳＴＢ）１００そのもののＩＤなど契約者を特定できるものであればよい。
【００６３】
また、本発明の実施の形態１あるいは２においては、録画予約情報のデータ放送記述の一例として、それぞれ図５および図９に示したように、データ放送にデータ放送フォーマットに変換した録画予約コマンドを多重する方法について説明したが、データ放送に録画予約などの命令情報（制御情報）は多重せず、受信装置１００が、ＣＡＴＶ局１１０のサーバ１１２のどこにアクセスすれば自分宛の命令情報などの情報を取得することができるかが分かるアクセス先の情報のみを多重し、この情報を受信した受信装置１００が、ＣＡＴＶネットワーク１２０を介して行う通信により指示されたサーバ１１２のアクセス先にアクセスし、命令情報などの情報を取得するという方法もある。
【００６４】
以下に、上記の方法について、図１、図２および図５を参照しながら、もう少し詳しく説明する。
【００６５】
まず、受信装置１００のユーザーが、携帯電話１５０などを用いてインターネット１４０経由でＣＡＴＶ局１１０に録画予約情報を送信すると、本発明の実施の形態１の場合と同様に、ＣＡＴＶ局１１０においては、第２の通信手段２１２７を介して命令受信手段２１２４でユーザーからの録画予約情報を受信し、これをデータ生成手段２１２３に送信する。データ生成手段２１２３は、命令受信手段２１２４から受信した録画予約情報をデータ放送フォーマットであるＢＭＬデータに変換し、この変換したデータをユーザーＩＤあるいは受信装置１００の機器ＩＤなどと関連付けて、例えば、データ保持手段２１２８に録画予約登録をして保管する。
【００６６】
また、ＣＡＴＶ局１１０においては、データ生成手段２１２３において、受信装置１００がサーバ１１２のどこにアクセスすれば自分宛の命令情報などを取得することができるかが分かる情報を生成してこれをＢＭＬフォーマットのデータに変換し、この変換したデータをＭＵＸ手段１１４においてデータ放送のデータに多重した後、送信手段としての機能を有するＱＭＡ１１３からＣＡＴＶネットワーク１２０に送出する。
【００６７】
一方、受信装置１００においては、ＢＭＬ解析手段１０３が、受信手段１０７で受信したデータ放送のデータを解析してデータ放送に多重されているサーバ１１２のアクセス先の情報を取得し、視聴開始時、電源ＯＮ時、あるいは予め定めた時間周期でこの情報を通信手段１０６に送信する。通信手段１０６は、ＢＭＬ解析手段１０３から受信したサーバ１１２のアクセス先に対し、ケーブルモデム１０５、ＣＡＴＶネットワーク１２０および第１の通信手段２１２９などを介してサーバ１１２の指定されたアクセス先にアクセスし、サーバ１１２に対し自分宛の録画予約情報などの情報の送信を要求する。
【００６８】
次に、受信装置１００が、サーバ１１２に対し録画予約などの情報の送信を要求し、サーバ１１２から情報を受信するまでの処理について、図５を参照しながら説明する。なお、図５（ｂ）は、受信装置１００がアクセスすべきサーバ１１２のアクセス先のみの情報を、データ放送フォーマットで記述してデータ放送に多重する場合の記述の一例を示す図である。
【００６９】
受信装置１００は、図５（ｂ）の（ニ）に示されたサーバ１１２上のｃｈｅｃｋプログラムに対し、受信装置の識別子（ｓｔｂｉｄ）である「１１」と、録画予約などの予約情報の有無を確認する予約確認を示す識別子（ｃｍｄ）「ＹＯＹＡＫＵ」とともにアクセスする。サーバ１１２は、受信装置１００からのアクセスに対し、アクセスとともに送信されてきた受信装置の識別子が該当する受信装置の識別子であるか否かを判定する。該当する受信装置の識別子であることが確認されると、その該当する受信装置に対する録画予約登録がデータ保持手段２１２８になされているか否かを確認する。録画予約登録がなされておれば、サーバ１１２は、図５（ａ）に記載したと同様のＢＭＬデータ（録画予約情報）を第１の通信手段２１２９およびＣＡＴＶネットワーク１２０を介してアクセスしてきた受信装置１００に対して送信する。サーバ１１２からＢＭＬデータ（録画予約情報）をケーブルモデム１０５を介して通信手段１０６で受信した受信装置１００は、本発明の実施の形態１におけると同様の処理を行い、録画予約を実行する。
【００７０】
また、データ保持手段２１２８に録画予約が登録されていない場合は、何のコマンドも有さないＢＭＬデータを送信するなど、録画予約が登録されていないことを示す内容のＢＭＬデータを送信する。
【００７１】
上記方法においては、受信装置１００の台数が増えた場合でも、データ放送に多重するデータの容量を少なくすることができる。
【００７２】
なお、本発明の実施の形態１および２においては、携帯電話１５０を用いて録画予約を行ったが、パソコンやその他の携帯端末などＩＰネットワークに接続可能な機器（通信情報端末など）であれば特に限定するものではない。
【００７３】
また、本発明の実施の形態１および２においては、録画予約を例に説明を行ったが、受信装置１００への命令は録画予約に限定するものではなく、例えば、選局や録画の中断など他の命令であっても構わない。
【産業上の利用可能性】
【００７４】
本発明に係る受信装置制御システムは、ＣＡＴＶネットワークなどのようにＳＴＢ（受信装置）のＩＰアドレスが不明なネットワークに対しても、帯域を有効に利用しながら、ネットワークの外部から録画予約などの命令を確実に送信することが可能となり、ネットワークの外部からの録画予約などに有用である。
【図面の簡単な説明】
【００７５】
【図１】本発明の実施の形態１および実施の形態２におけるＣＡＴＶネットワークでの受信装置制御システムの構成を示すブロック図
【図２】サーバの構成を示すブロック図
【図３】本発明の実施の形態１における受信装置制御システムにおいて、ユーザーが番組録画予約をする場合の処理の流れを示す図
【図４】本発明の実施の形態１における受信装置に送信する録画予約データを生成／多重する処理の流れを示す図
【図５】（ａ）は、本発明の実施の形態１における録画予約データを受信した受信装置に対し録画予約データに基づく処理の実行を要求するデータ放送記述の一例を示す図、（ｂ）は、受信装置１００がアクセスすべきサーバ１１２のアクセス先のみの情報を、データ放送フォーマットで記述してデータ放送に多重する場合の記述の一例を示す図
【図６】本発明の実施の形態２における録画予約のための制御データを生成／多重する場合の処理の流れを示す図
【図７】本発明の実施の形態２におけるＮＩＴのサービスリスト変更例を示す図
【図８】本発明の実施の形態２における視聴者がテレビのリモコンを使って選局した場合の番組視聴までの画面遷移を示す図
【図９】データ放送サービスに記述されるＢＭＬ形式の録画予約命令の記述例を示す図
【図１０】特許文献１に開示されている従来の受信機制御システムの構成を示すブロック図
【図１１】特許文献２に開示されている従来の受信機制御システムの構成を示すブロック図
【符号の説明】
【００７６】
１００  受信装置（ＳＴＢ）
１０１  チューナ部
１０２  ＴＳデコード部
１０３  ＢＭＬ解析手段
１０４  表示手段
１０５  ケーブルモデム
１０６  通信手段
１０７  受信手段
１１０  ＣＡＴＶ局（送信装置）
１１１  ＣＭＴＳ
１１２  サーバ
１１３  ＱＡＭ
１１４  ＭＵＸ手段
１１５  デジタル放送受信手段
１２０  ＣＡＴＶネットワーク
１４０  インターネット
１５０  携帯電話
２６０  番組表提供サービスセンター
８０１  ＴＶ視聴用のリモコン
８０２  ＴＶ画面
２１２１  通信部
２１２２  番組情報生成手段
２１２３  データ生成手段
２１２４  命令受信手段
２１２５  メニュー配信手段
２１２６  メニュー生成手段
２１２７  第２の通信手段
２１２８  データ保持手段
２１２９  第１の通信手段
Ｘ１１  クライアント
Ｘ１２  クライアント
Ｘ２１  ＩＭサーバ
Ｘ３０  インターネット
Ｘ４１  ＮＡＴ装置
Ｙ０１  携帯電話
Ｙ０２  録画予約受付センター
Ｙ０３  放送センター
Ｙ０４  放送衛星
Ｙ０５  受信装置
Ｙ０６  ハードディスク
Ｙ０７  電子メールサービスプロバイダ
【図１】
2008177971.tif 000003
【図２】
2008177971.tif 000004
【図３】
2008177971.tif 000005
【図４】
2008177971.tif 000006
【図５】
2008177971.tif 000007
【図６】
2008177971.tif 000008
【図７】
2008177971.tif 000009
【図８】
2008177971.tif 000010
【図９】
2008177971.tif 000011
【図１０】
2008177971.tif 000012
【図１１】
2008177971.tif 000013